(57)【要約】【課題】主として机上面の１つの照射領域を照明しながらも、机上面における前記照射領域以外の場所も簡単に照明することができる照明器具を提供する。【解決手段】照明器具は、ＬＥＤを用いた光源５を複数個有する主光源ブロック７と、主光源ブロック７とは別にＬＥＤを用いた光源１０を有する補助光源ブロック１１と、机上面との対向面に開口部８，１２が設けられ開口部８，１２から光源５，１０の光を出射させるように主光源ブロック７および補助光源ブロック１１を収納する器具本体９とを備える。補助光源ブロック１１は、光源１０の光の出射方向を主光源ブロック７の光源５とは別に調節できるように、器具本体９に対して光源１０を首振り可能に保持する首振り機構１９を有する。【選択図】図１
2007200719.tif 000002
【特許請求の範囲】
【請求項１】
机上面を照明するように机に設置される照明器具であって、それぞれＬＥＤを用いた複数個の光源と、机上面に対向する位置に配置されており、机上面との対向面に形成された開口部から光源の光を出射させるように前記複数個の光源を収納する器具本体と、器具本体に収納されており、前記複数個の光源のうちで光を一方向に出射するように配光制御された一部の光源を、当該光源の光の出射方向を他の光源とは別に変化させるように首振り可能に保持する首振り機構とを備えることを特徴とする照明器具。
【請求項２】
前記首振り機構は、前記器具本体の定位置に固定される固定部材と、前記光源が固定されており固定部材に対して首振り可能に取り付けられる可動部材とを有することを特徴とする請求項１記載の照明器具。
【請求項３】
前記器具本体は前記机上面との対向面に沿った一方向に長い形状に形成されており、前記首振り機構は、器具本体における長手方向の両端部のうちの少なくとも一方に収納されていることを特徴とする請求項１または請求項２に記載の照明器具。
【請求項４】
前記光源を点灯させる点灯回路を備え、点灯回路は、前記複数個の光源を全て点灯させる全点灯モードと、前記複数個の光源のうち前記首振り機構に保持されていない光源のみを点灯させる主点灯モードと、首振り機構に保持された光源のみを点灯させるスポット点灯モードとの３種類の動作モードを有することを特徴とする請求項１ないし請求項３のいずれか１項に記載の照明器具。
【発明の詳細な説明】
【技術分野】
【０００１】
本発明は、ＬＥＤを光源に用い、机上面を照明するように机に設置される照明器具に関するものである。
【背景技術】
【０００２】
従来から、机上面を照明するように机に設置される照明器具として、蛍光灯あるいは白熱灯を光源に用いたものが主に提供されている。この種の照明器具は、図８に示すように、光源２４（ここでは蛍光灯）の上方に反射板２５を備え、光源２４から上方に出射される光の配光を反射板２５で制御している。なお、机に設置される照明器具は、一般的に、光源２４を備える灯具１を可動式として、灯具１の水平方向の位置および水平面に対する角度を変えることにより、机上面において照明器具からの光が照射される照射領域の位置を調節できるように構成されている。たとえば光源２４に蛍光灯を用いたものでは、灯具１の角度を変えることによって図９（ａ）、（ｂ）のように机上面Ｄの照射領域Ａが変化し、光源２４に白熱灯を用いたものでは、灯具１の角度を変えることによって図９（ｃ）、（ｄ）のように机上面Ｄの照射領域Ａが変化する。
【０００３】
一方、近年では様々な照明器具において、発光効率がよくかつ長寿命であるＬＥＤ（発光ダイオード）を光源に用いたものが提案・提供されている。机に設置される上記照明器具においてもＬＥＤを光源に用いることが望ましいと考えられており、このような照明器具も提案されている（たとえば特許文献１参照）。この種の照明器具は、灯具１として、図１０に示すように光源５（ＬＥＤ）が実装された実装基板６と、下面に設けられた開口部８から光源５の光を出射させるように実装基板６を収納する器具本体９とを備えている。ＬＥＤは蛍光灯などに比べて発光面積が非常に小さいので、ＬＥＤを光源５に用いた上記照明器具では、図９（ｅ）、（ｆ）に示すように机上面Ｄの照射領域Ａの全域に対して光源５からの光をむらなく照射するように、実装基板６の下面に光源５を適当な間隔で複数個配列する。
【特許文献１】特開２００４−１０３３８０号公報
【発明の開示】
【発明が解決しようとする課題】
【０００４】
ところで、上述したように机上面Ｄを照明する照明器具では、机上面Ｄの全面を照明するためには灯具１が大型となり邪魔になるので、灯具１を比較的小さくし机上面Ｄを部分的に照射領域Ａとして照明するものが一般的である。しかし、机上面Ｄの一部分しか照明されていないと、照射領域Ａ内での何らかの作業中に机上面Ｄにおける照射領域Ａとは別の場所を一時的に照明する必要が生じた場合に、灯具１を移動させることにより照射領域Ａを前記別の場所に移動させ、その後、灯具１を元の位置に移動させることにより照射領域Ａを元の場所に戻す必要があるので面倒である。
【０００５】
本発明は上記事由に鑑みて為されたものであって、主として机上面の１つの照射領域を照明しながらも、机上面における前記照射領域以外の場所も簡単に照明することができる照明器具を提供することを目的とする。
【課題を解決するための手段】
【０００６】
請求項１の発明は、机上面を照明するように机に設置される照明器具であって、それぞれＬＥＤを用いた複数個の光源と、机上面に対向する位置に配置されており、机上面との対向面に形成された開口部から光源の光を出射させるように前記複数個の光源を収納する器具本体と、器具本体に収納されており、前記複数個の光源のうちで光を一方向に出射するように配光制御された一部の光源を、当該光源の光の出射方向を他の光源とは別に変化させるように首振り可能に保持する首振り機構とを備えることを特徴とする。
【０００７】
この構成によれば、首振り機構に保持された光源を首振り動作させることにより、首振り機構に保持された前記光源について他の光源とは別に光の出射方向を変化させることができるので、首振り機構に保持されていない光源によって机上面の１つの場所を照射領域として主に照明しながらも、机上面における当該照射領域以外の場所を首振り機構に保持された光源によって照明することができる。したがって、机上面の照射領域内での何らかの作業中に机上面における照射領域とは別の場所を一時的に照明する必要が生じた場合には、首振り機構に保持された光源を首振り動作させるだけで前記別の場所を簡単に照明することができる。
【０００８】
請求項２の発明は、請求項１記載の発明において、前記首振り機構が、前記器具本体の定位置に固定される固定部材と、前記光源が固定されており固定部材に対して首振り可能に取り付けられる可動部材とを有することを特徴とする。
【０００９】
この構成によれば、可動部材を動かすだけの簡単な操作で、首振り機構に保持された光源を首振り動作させることができる。
【００１０】
請求項３の発明は、請求項１または請求項２の発明において、前記器具本体が前記机上面との対向面に沿った一方向に長い形状に形成されており、前記首振り機構が、器具本体における長手方向の両端部のうちの少なくとも一方に収納されていることを特徴とする。
【００１１】
この構成によれば、首振り機構に保持された光源は、器具本体の長手方向の両端部のうちの少なくとも一方に配置されることになるので、首振り機構に保持された光源と、首振り機構に保持されていない光源とで、机上面において比較的離れた２箇所を照明することができる。
【００１２】
請求項４の発明は、請求項１ないし請求項３のいずれかの発明において、前記光源を点灯させる点灯回路を備え、点灯回路が、前記複数個の光源を全て点灯させる全点灯モードと、前記複数個の光源のうち前記首振り機構に保持されていない光源のみを点灯させる主点灯モードと、首振り機構に保持された光源のみを点灯させるスポット点灯モードとの３種類の動作モードを有することを特徴とする。
【００１３】
この構成によれば、机上面の１つの照射領域を照明すると同時に机上面における前記照射領域以外の場所も照明する場合には、全点灯モードで点灯回路を動作させ、それ以外の場合は、主点灯モードあるいはスポット点灯モードで点灯回路を動作させることにより、照明器具の省電力化を図ることができる。また、スポット点灯モードでは、机上面を局所的に照明することにより机上を装飾することも可能である。
【発明の効果】
【００１４】
本発明は、首振り機構に保持された光源を首振り動作させ、当該光源の光の出射方向を調節することによって、首振り機構に保持された光源とその他の光源とで、別々の２箇所を照明することができる。すなわち、首振り機構に保持されていない光源によって机上面の１つの場所を照射領域として主に照明しながらも、机上面における当該照射領域以外の場所を首振り機構に保持された光源によって照明することができるという利点がある。したがって、机上面の照射領域内での何らかの作業中に机上面における照射領域とは別の場所を一時的に照明する必要が生じた場合には、首振り機構に保持された光源を首振り動作させるだけで前記別の場所を簡単に照明することができる。
【発明を実施するための最良の形態】
【００１５】
本実施形態の照明器具は、図２に示すように、机上に載置されるベース２と、基端部がベース２に固定されたアーム４と、アーム４の先端部に連結され机上面を照明可能な位置に支持される灯具１とを備えている。後述の光源を点灯させる点灯回路（図示せず）は、灯具１とベース２とアーム４とのいずれに収納されていてもよい。以下では、灯具１における光を出射する側の一面を机上面に平行させ、かつ灯具１の長手方向（図２の左右方向）を机上面の長手方向に一致させるように照明器具を机に設置したときの上下左右（図２の上下左右）を上下左右として説明する。アーム４は灯具１の右端部に連結されており、灯具１を、机上面に対して水平方向（前後左右）および垂直方向（上下）に移動可能かつアーム４の先端部を中心として首振り可能に支持することによって、灯具１の位置および灯具１の向きを調節可能としている。
【００１６】
灯具１は、図１に示すように、ＬＥＤ（発光ダイオード）を用いた光源５が複数個（ここでは６個）実装されている実装基板６を備えた主光源ブロック７、および机上面との対向面となる下面の右端寄りに長方形状の開口部８が設けられ開口部８から光源５の光を出射させるように主光源ブロック７を収納する器具本体９とを有している。開口部８には光源５からの光を拡散透過させるパネルを設けてもよい。さらに、本実施形態の灯具１は主光源ブロック７とは別に、ＬＥＤを用いた光源１０を備える補助光源ブロック１１を有しており、この補助光源ブロック１１においては器具本体９の下面の左端部に形成された円形状の開口部１２から光源１０の光を出射させるように器具本体９に収納される。詳しくは後述するが、補助光源ブロック１１は、光源１０の光の出射方向を主光源ブロック７の光源５とは別に調節できるように、器具本体９に対して光源１０を首振り可能に保持する首振り機構１９を有するものである。
【００１７】
器具本体９は、上下方向の寸法が最小となりかつ左右方向の寸法が最大となる箱状であって、左端部に丸みを帯びた形状に形成されている。このように器具本体９の上下方向の寸法を小さくできることも、蛍光灯や白熱灯に比べて小型であるＬＥＤを光源５，１０に用いたことによる利点である。主光源ブロック７においては、実装基板６は左右方向に長い長方形状に形成されている。この実装基板６は、主光源ブロック７の光源５（つまり実装基板６に実装された光源）を器具本体９に対して定位置に位置固定するものであって、器具本体９の長方形状の開口部８に対応する位置に固定される。実装基板６に実装された６個の光源５は、左右方向に等間隔で３個ずつ、前後に２列となるように実装基板６の下面に配列されている。
【００１８】
本実施形態では各光源５，１０はそれぞれ青色に発光するＬＥＤチップ（図示せず）と、ＬＥＤチップを覆う光色変換部材（図示せず）とを備えている。光色変換部材は、透光性を有する透光性樹脂（たとえばシリコーン樹脂やエポキシ樹脂など）の中に、青色光を吸収することにより励起され黄色に発光する蛍光体を分散させたものであって、この光色変換部材に入射した光（青色光）のうち、一部の光は蛍光体で黄色光に変換されて出力され、その他の光は蛍光体に吸収されることなく光色変換部材を透過して青色光として出力されるので、光源から出射される光としては、互いに補色関係にある青色光と黄色光との混色光である白色光が得られることになる。
【００１９】
具体的に説明すると、各光源５，１０はたとえばＬＥＤチップをリードフレーム（図示せず）上に実装し、当該リードフレームを光色変換部材でモールドすることによりそれぞれ構成される。このとき、光色変換部材がレンズとしても機能し、ＬＥＤチップからの光を一方向に出射するように配光を制御する。ただし、白色光を得るための構成として、上述した光色変換部材を用いる構成に代えて、それぞれ発光色が異なる複数種類のＬＥＤチップ（たとえば赤、緑、青の各色に発光する３種類のＬＥＤチップ）を用い全ＬＥＤチップからの光を混色させる構成を採用してもよい。なお、白色光を出射する光源は本発明に用いる光源５，１０の一例にすぎず、その他の発光色の光源を本発明に用いてもよい。たとえばＬＥＤチップからの光が、色を変えることなくそのまま出射される光源を採用してもよい。
【００２０】
ところで、補助光源ブロック１１は、主光源ブロック７の左側方に位置するように、器具本体９の左端部に形成された開口部１２に対応する位置に配置されている。図１に示す例では、補助光源ブロック１１には光源１０が１個だけ設けられており、これにより灯具１には合計７個の光源５，１０が設けられることになる。
【００２１】
以下に、補助光源ブロック１１の具体的な構成について図３を参照して説明する。
【００２２】
図３に示す補助光源ブロック１１は、一面側に光源１０が固定される円盤状の可動部材１３と、環状に形成された可動枠１４と、器具本体９における開口部１２の周縁から上方に突出する形で器具本体９に固定された一対の固定部材１８とを有しており、可動部材１３の周面の前後両端部には、前方および後方にそれぞれ突出する一対の内側回転軸１５が形成されている。可動部材１３は前記一対の内側回転軸１５を、可動枠１４に形成された一対の内側軸受孔１６に挿入することによって、可動枠１４内に内側回転軸１５を軸として図３（ｂ）のＸ方向に首振り可能に支持される。さらに、可動枠１４の左右両端部には両側方に一対の外側回転軸１７が突設されており、これら外側回転軸１７を、器具本体９と一体に設けられた固定部材１８の外側軸受孔（図示せず）に挿入することによって、可動部材１３は、固定部材１８に対して外側回転軸１７を軸として図３（ａ）のＹ方向に首振り可能に支持される。
【００２３】
上述した構成により、可動部材１３は、固定部材１８に対して内側回転軸１５と外側回転軸１７との各々を軸として首振り可能に支持されることになる。すなわち、可動部材１３と固定部材１８とで、補助光源ブロック１１の光源１０を器具本体９に対して首振り可能に保持する首振り機構１９が構成される。ここで、内側軸受孔１６および外側軸受孔は、光源１０の首振り時に、それぞれ内側回転軸１５および外側回転軸１７との間に摩擦力を生じるように寸法が設定されており、この摩擦力によって光源１０は任意の首振り角度で保持されることになる。その結果、補助光源ブロック１１の光源１０は可動部材１３の首振り可能な範囲内において光の出射方向が変化することとなり、補助光源ブロック１１の光源１０の光の出射方向を主光源ブロック７の光源５とは別に調節可能となる。なお、図３に示す補助光源ブロック１１は補助光源ブロック１１の一例にすぎず、たとえば図１に示すように、器具本体９に固定される固定部材１８を下面開口の半球状に形成し、可動部材１３も半球状に形成し、固定部材１８内に可動部材１３を嵌め込むとともに可動部材１３の下面側に光源１０を固定することにより補助光源ブロック１１を構成してもよい。この構成では、可動部材１３を固定部材１８内で回動させることによって補助光源ブロック１１の光源１０の光の出射方向が変化する。
【００２４】
また、図３においては、各光源５，１０に上述した構成（リードフレームを光色変換部材でモールドした構成）とは別の構成をそれぞれ採用しており、可動部材１３の一面側に実装されたＬＥＤチップを、一面開口の半球状に形成されたカバー体２０で包囲することにより光源１０が構成されている。カバー体２０は、半球の頂点部分に可動部材１３の厚み方向に貫通する窓孔２１が形成されており、窓孔２１が出射窓２２によって閉塞されている。出射窓２２は光色変換部材から形成されており、ＬＥＤチップからの光がこの出射窓を通してカバー体２０と可動部材１３とで囲まれた空間の外部に出射されることにより、白色光が得られることになる。ここで、光源１０の光は出射窓２２から一方向に出射されることになる。
【００２５】
図４および図５は、本実施形態の照明器具を用いて机上面Ｄを照明したときの机上面Ｄの照射領域Ａを示す図である。図４（ａ）は、補助光源ブロック１１の光源１０を真下に向けた状態、つまり補助光源ブロック１１の光源１０と主光源ブロック７の光源５との光の出射方向を一方向に揃えた状態で、実装基板６が机上面Ｄに平行となるように灯具１を支持したときの図であって、このとき、机上面Ｄにおいては灯具１に対向する部位が照射領域Ａとして照明される。図４（ｂ）は、図４（ａ）の状態から、補助光源ブロック１１を動かさずに、実装基板６の前端部を上げるように灯具１を手前（図の下方）に傾けたときの図であって、このとき、机上面Ｄにおいては灯具１の前方部位が照射領域Ａとして照明される。
【００２６】
一方、図５（ａ）は、灯具１を図４（ａ）と同じ配置とし、補助光源ブロック１１の光源１０の前端部を上げるように補助光源ブロック１１の光源１０を手前（図の下方）に傾けたときの図であって、このとき、机上面Ｄにおいては灯具１の主光源ブロック７に対向する部位と、補助光源ブロック１１の前方部位とが照射領域Ａとして照明される。図５（ｂ）は、灯具１を図４（ｂ）と同じ配置とし、補助光源ブロック１１の光源１０の左端部を上げるように補助光源ブロック１１の光源１０を左に傾けたときの図であって、このとき、机上面Ｄにおいては灯具１の主光源ブロック７の前方部位と、補助光源ブロック１１の左斜め前方部位とが照射領域Ａとして照明される。
【００２７】
このように、本実施形態では、補助光源ブロック１１の光源１０を傾けて当該光源１０の光の出射方向を調節することによって、主光源ブロック７の光源７と補助光源ブロック１１の光源１０とで机上面Ｄの１つの場所を照射領域Ａとして照明したり（図４参照）、主光源ブロック７の光源７で机上面Ｄの１つの場所を照射領域Ａとして主に照明しながらも、補助光源ブロック１１の光源１０により光源５とは別の場所を照明したり（図５参照）することができる。したがって、机上面Ｄの照射領域Ａ内での何らかの作業中に机上面Ｄにおける前記照射領域Ａとは別の場所を一時的に照明する必要が生じた場合、たとえば机上面Ｄの中央付近で本を読んでいる最中に机上面Ｄの左端付近にあるスケジュール表を見る場合などには、器具本体９に対して全ての光源が固定された従来の照明器具のように灯具１自体を一時的に移動させる必要はなく、補助光源ブロック１１の光源１０を傾けるだけで前記別の場所を簡単に照明することができる。主光源ブロック７の光源７と補助光源ブロック１１の光源１０とで机上面Ｄの別々の場所を同時に照明することもできるから、たとえば、机上面Ｄの左端付近に置かれた本と机上面の中央付近に置かれたキーボードとの両方を同時に照明することにより、本を見ながらキーボードを操作するというような使い方もできる。
【００２８】
また、従来の照明器具では、灯具１を傾けるだけで所望の配光が得られなければ、灯具１を水平方向（前後左右）に移動させる必要があるが、本実施形態の照明器具では、灯具１を傾けるだけで所望の配光が得られなくとも、補助光源ブロック１１の光源１０を傾けることによって所望の配光が得られることが多々ある（たとえば図５（ｂ））ので、従来の照明器具に比べて灯具１を水平方向に移動させる必要性は低い。要するに、本実施形態では灯具１を机上面Ｄの後端部に寄せたままでも多様な配光を実現することができ、灯具１が使用者の頭部に近接して邪魔になることを回避できるという利点がある。なお、図４および図５は照明器具の使用形態の一例にすぎず、ここで示した他にも灯具１の配置および補助光源ブロック１１の光源１０の向きによって様々な照射領域を実現することが可能である。
【００２９】
ところで、光源５，１０を点灯させる点灯回路は、７個の光源５，１０を全て同時に点灯させる全点灯モードのほか、主光源ブロック７の光源５のみを点灯させる主点灯モード、および補助光源ブロック１１の光源１０のみを点灯させるスポット点灯モードでも動作できる構成とすることが望ましい。この構成によれば、全点灯モードにおいては上述したように主光源ブロック７の光源７と補助光源ブロック１１の光源１０とで机上面Ｄの別々の場所を同時に照明するなどの使い方が可能であり、さらに、主光源ブロック７の光源５と補助光源ブロック１１の光源１０とのいずれか一方のみで所望の照射領域Ａを実現可能な場合には、それぞれ主点灯モード、またはスポット点灯モードで動作させることによって照明器具の省電力化が図れる。特に、スポット点灯モードにおいては、たとえば机上に存在する特定の物体を照明することにより、装飾的な照明として照明器具を使用することができる。
【００３０】
また、灯具１において補助光源ブロック１１を設ける位置は、上述したように主光源ブロック７の左側方（器具本体９の左端部）に限るものではなく、図６に示すように主光源ブロック７を器具本体９の左端寄りに配置し、主光源ブロック７の右側方（器具本体９の右端部）に補助光源ブロック１１を設けるようにしてもよい。さらに、補助光源ブロック１１を複数個設けてもよく、この場合には、たとえば図７に示すように主光源ブロック７の左右両側方にそれぞれ補助光源ブロック１１を設けることが望ましい。１個の補助光源ブロック１１に複数個の光源１０を設け、各補助光源ブロック１１の光出力をそれぞれ増大させてもよい。主光源ブロック７に設ける光源５の個数もまた任意に設定される。
【００３１】
なお、上記実施形態では、照明器具としてベース２を有し机上に載置されるスタンドを例示したが、この構成に限るものではなく、たとえば、ベース２に代えて机の天板の周部を挟持する固定部（図示せず）を備える照明器具や、灯具１が机に一体に取り付けられる照明器具などに本発明を適用してもよい。
【図面の簡単な説明】
【００３２】
【図１】本発明の実施形態の灯具を示し、（ａ）は側面図、（ｂ）は下面図である。
【図２】同上の照明器具を示す側面図である。
【図３】同上の補助光源ブロックの一例を示し、（ａ）は下面図、（ｂ）は側面図である。
【図４】同上の照明器具を用いて机上面を照明したときの机上面の照射領域を示す上面図である。
【図５】同上の照明器具を用いて机上面を照明したときの机上面の照射領域を示す上面図である。
【図６】同上の灯具の他の構成を示し、（ａ）は側面図、（ｂ）は下面図である。
【図７】同上の灯具のさらに他の構成を示し、（ａ）は側面図、（ｂ）は下面図である。
【図８】従来例を示し、（ａ）は側面図、（ｂ）は下面図である。
【図９】同上の照明器具を用いて机上面を照明したときの机上面の照射領域を示す上面図である。
【図１０】他の従来例を示し、（ａ）は側面図、（ｂ）は下面図である。
【符号の説明】
【００３３】
５，１０  光源
８，１２  開口部
９  器具本体
１３  可動部材
１８  固定部材
１９  首振り機構
Ｄ  机上面
【図１】
2007200719.tif 000003
【図２】
2007200719.tif 000004
【図３】
2007200719.tif 000005
【図４】
2007200719.tif 000006
【図５】
2007200719.tif 000007
【図６】
2007200719.tif 000008
【図７】
2007200719.tif 000009
【図８】
2007200719.tif 000010
【図９】
2007200719.tif 000011
【図１０】
2007200719.tif 000012